(57)【特許請求の範囲】
【請求項１】
石綿含有物を対象としてその表面の特定部位からの石綿発塵量を測定するための装置であって、
測定対象部位の周囲を気密裡に覆うカバーと、
前記カバーに気密裡に装着されて、該カバー内の空気を吸引してメンブレンフィルターにより石綿塵埃を捕集する捕集機構と、
前記捕集機構に接続されて前記カバー内の空気を前記捕集機構を介して吸引するための吸気管と、
前記吸気管の基端に接続された吸気ポンプと、
前記カバーを貫通して設けられ、前記吸気ポンプによる吸引力によって前記カバー外の空気を吸い込んでその先端から測定対象部位に噴射状態で吹き付ける噴射管とを具備してなり、
前記カバーは両端が開放面とされた筒状とされて、その先端側の開放面を測定対象部位に向けた状態で測定対象物の表面に気密裡に装着され、
該カバーの基端側の開放面に前記捕集機構が着脱自在に装着されて、該捕集機構に前記吸気管の先端が連結され、
前記噴射管は前記カバーの側面を該カバーの軸線に対して斜めに貫通して、該噴射管の先端が前記カバーの先端側の開放面近傍まで延出せしめられてなることを特徴とする石綿発塵量の測定装置。
【請求項２】
請求項１記載の石綿発塵量の測定装置であって、
前記吸気ポンプによる吸気量を測定する流量計を具備してなることを特徴とする石綿発塵量の測定装置。
【請求項３】
請求項１または２記載の石綿発塵量の測定装置であって、
前記噴射管の基端部にメンブレンフィルターを内蔵する捕集機構を装着してなることを特徴とする石綿発塵量の測定装置。
【請求項４】
請求項１，２または３記載の石綿発塵量の測定装置であって、
前記カバーを測定対象物に装着する際に測定対象部位の近傍から剥離する石綿を受け止めてその飛散を防止するための飛散防止板を具備してなることを特徴とする石綿発塵量の測定装置。
【請求項５】
請求項１，２，３または４記載の石綿発塵量の測定装置であって、
前記カバーの先端側の開放面は該カバーの軸線に対して斜めに形成されているとともに前記噴射管は直管状とされ、該カバーの先端を測定対象部位に気密裡に装着することにより前記噴射管が測定対象部位に対して垂直をなすように配置されて、該噴射管が測定対象部位に対してその法線方向から空気を吹き付ける構成とされていることを特徴とする石綿発塵量の測定装置。
【発明の詳細な説明】
【技術分野】
【０００１】
本発明は、石綿含有物を対象としてその表面からの石綿発塵量を測定するための装置に関する。
【背景技術】
【０００２】
周知のように、石綿（アスベスト）は優れた物性を備えていることから過去には建材をはじめとして各方面で広く利用されてきたが、近年、その粉塵が重大な健康被害をもたらすことが明らかになり、大きな社会問題となっている。
石綿粉塵対策を講じるうえでは環境大気中の石綿粉塵濃度を把握することが不可欠であり、そのため、環境大気中のアスベスト濃度を測定するための技術的指針として「アスベストモニタリングマニュアル」が策定されている（非特許文献１参照）。
【非特許文献１】「アスベストモニタリングマニュアル（改訂版）」、環境庁大気保全局大気規制課、平成５年１２月、ｐ.１−６
【発明の開示】
【発明が解決しようとする課題】
【０００３】
上記マニュアルに規定されている石綿粉塵濃度の測定手法は、測定対象地点において大気を長時間にわたって連続的にサンプリングして捕集用ろ紙（メンブレンフィルター）に通すことによって大気中の石綿粉塵量を測定することを基本とするものである。
しかし、そのような測定手法では測定対象地点付近の大気中の平均的な濃度は測定できるものの、たとえば特定の建材からの発塵量を直接的に測定したり、あるいは発塵箇所を特定するようなことはできるものではない。
したがって、上記のような測定手法のみでは必ずしも充分ではなく、より高度の対策を講じるうえでは、単に環境大気中の平均的な濃度測定のみならず、特定の部材からの石綿発塵量を直接的に測定したり、さらには石綿発塵の可能性やそれに至るような建材の劣化の程度をも把握し得るような測定手法の確立が必要ともされている。
【０００４】
上記事情に鑑み、本発明は石綿含有物を対象としてその表面からの石綿発塵量を直接的に測定し得る有効適切な測定装置を提供することを目的としている。
【課題を解決するための手段】
【０００５】
請求項１記載の発明は、石綿含有物を対象としてその表面の特定部位からの石綿発塵量を測定するための装置であって、測定対象部位の周囲を気密裡に覆うカバーと、前記カバーに気密裡に装着されて、該カバー内の空気を吸引してメンブレンフィルターにより石綿塵埃を捕集する捕集機構と、前記捕集機構に接続されて前記カバー内の空気を前記捕集機構を介して吸引するための吸気管と、前記吸気管の基端に接続された吸気ポンプと、前記カバーを貫通して設けられ、前記吸気ポンプによる吸引力によって前記カバー外の空気を吸い込んでその先端から測定対象部位に噴射状態で吹き付ける噴射管とを具備してなり、前記カバーは両端が開放面とされた筒状とされて、その先端側の開放面を測定対象部位に向けた状態で測定対象物の表面に気密裡に装着され、該カバーの基端側の開放面に前記捕集機構が着脱自在に装着されて、該捕集機構に前記吸気管の先端が連結され、前記噴射管は前記カバーの側面を該カバーの軸線に対して斜めに貫通して、該噴射管の先端が前記カバーの先端側の開放面近傍まで延出せしめられてなることを特徴とする。
【０００７】
請求項２記載の発明は、請求項１記載の発明の石綿発塵量の測定装置であって、前記吸気ポンプによる吸気量を測定する流量計を具備してなることを特徴とする。
【０００８】
請求項３記載の発明は、請求項１または２記載の発明の石綿発塵量の測定装置であって、前記噴射管の基端部にメンブレンフィルターを内蔵する捕集機構を装着してなることを特徴とする。
【０００９】
請求項４記載の発明は、請求項１，２または３記載の発明の石綿発塵量の測定装置であって、前記カバーを測定対象物に装着する際に測定対象部位の近傍から剥離する石綿を受け止めてその飛散を防止するための飛散防止板を具備してなることを特徴とする。
【００１３】
請求項５記載の発明は、請求項１，２，３または４記載の発明の石綿発塵量の測定装置であって、前記カバーの先端側の開放面は該カバーの軸線に対して斜めに形成されているとともに前記噴射管は直管状とされ、該カバーの先端を測定対象部位に気密裡に装着することにより前記噴射管が測定対象部位に対して垂直をなすように配置されて、該噴射管が測定対象部位に対してその法線方向から空気を吹き付ける構成とされていることを特徴とする。
【発明の効果】
【００１４】
本発明の測定装置によれば、測定対象部位をカバーにより覆ったうえでその内部から捕集機構を介して吸気管を通して吸気ポンプにより吸気を行うことにより、吸気ポンプの吸引力によってカバー外の空気を噴射管を通してカバー内に吸引して測定対象部位に噴射させ、その噴射空気流によって測定対象部位から強制的に発塵させ、発塵量の全量を捕集機構が内蔵しているメンブレンフィルターにより捕集可能である。
したがって、強制発塵させて捕集した石綿の捕集量を測定することにより、測定対象部位からの石綿発塵量を吸気量と関連づけて定量的に求めることができ、各部位で同様の測定を同一条件で行うことによって各部位からの石綿発塵量を定量的に比較することが可能であり、各部位の劣化の有無や程度も推定し把握することができ、その結果を石綿含有物を解体したり補修するに際して有効に活用することが可能である。
勿論、測定対象部位をカバーにより気密裡に覆った状態で測定を行い、強制発塵させた石綿の全量をメンブレンフィルターにより捕集するので、測定に際して石綿を周囲に飛散させてしまうようなことを確実に防止することができ、高精度かつ安全な測定作業が可能である。
【００１５】
なお、測定に際してカバーを測定対象部位に気密裡に装着する際に微量の石綿が剥離することも想定されることから、万一剥離した石綿を受け止めるための飛散防止板を備えておくことにより、測定に際して剥離した石綿が不用意に周囲に飛散してしまうことを有効に防止することができる。その際、飛散防止板と測定対象物との間から空気を吸引して石綿を捕集したり、あるいは石綿を飛散防止板の表面に粘着させることにより、石綿の飛散をより確実に防止することができる。
【００１６】
また、測定対象部位に対して斜め方向から空気を吹き付ける場合には、その吹付方向が変動すると発塵量が変化することも想定されるが、吹付方向を常に一定にすることで同一条件での測定を支障なく行うことができる。
あるいは、噴射管の少なくとも先端部を測定対象部位に対して自ずと垂直となるように配置することにより、常に法線方向から空気を吹き付けて自ずと同一条件での測定を行うことができる。
【発明を実施するための最良の形態】
【００１７】
図１は本発明の第１実施形態である測定装置の概略構成図である。これは、各種の石綿含有物、たとえば図示例のように表面に石綿による耐火被覆がなされている鉄骨梁等の構造部材を測定対象物１として、その表面の特定部位からの石綿の発塵量を直接的に測定するためのハンディタイプのものであって、測定対象部位の周囲を気密裡に覆うカバー２と、カバー２に装着された捕集機構３と、捕集機構３に接続されてカバー２内の空気を捕集機構３を介して吸引するための吸気管４と、その吸気管４の基端に接続された吸気ポンプ５と、吸気ポンプ５に内蔵されて吸気量を測定する流量計６と、カバー２を貫通して設けられて吸気ポンプ５による吸引力によってカバー２外の空気をその先端から測定対象部位に噴射状態で吹き付ける噴射管７と、噴射管７の基端部に装着された捕集機構８とを具備してなるものである。
【００１８】
本実施形態におけるカバー２は両端が開放面とされた小径（捕集機構３と同径程度）の短い筒状とされ、先端側の開放面が測定対象物１に向けられてその表面に押し当てられた状態で装着されることにより、測定対象部位を覆って測定時における石綿粉塵の周囲への飛散を防止するためのものである。
カバー２の素材は適宜であるがたとえば塩ビ材やアクリル材あるいは金属製のものが好適に採用可能である。なお、必要に応じて、測定対象物１に押し当てられる先端開放面の周囲にシリコンゴム等の柔軟な材料によるシール部材を取り付けておくと、石綿が不用意に剥離してしまうことを防止できるし、測定対象物１の表面に凹凸や不陸があるような場合にも隙間が生じることがない。
【００１９】
カバー２の基端側の開放面に装着されている捕集機構３は、カバー２の基端側の開放面に対して気密裡にかつ着脱自在に装着可能な円筒形のホルダ内にメンブレンフィルター３ａを内蔵したもので、そのメンブレンフィルター３ａにより吸気中の石綿粉塵の全量を捕集可能なものである。この捕集機構３としては、たとえば公知の２５ｍｍ径のオープンフェイス形ホルダが好適に採用可能である。
【００２０】
捕集機構３に接続される吸気管４としてはたとえば内径６ｍｍ程度の硬質なパイプ材が好適に採用可能であり、その基端には吸気ポンプ５が接続されている。吸気ポンプ５はカバー２内から捕集機構３および吸気管４を通して所望量の空気を吸引し、かつそれに伴って噴射管７を通してカバー２内に空気を吸引して測定対象部位に所定風速で噴射させることができるものであり、そのために必要な吸引力を有するものである。
なお、図示例では吸気ポンプ５に流量計６を一体に組み込んでいるが、流量計６を吸気ポンプ５とは別に用意してそれを吸気ポンプ５の吸引側あるいは吐出側に接続することでも良い。
【００２１】
噴射管７はたとえば内径３〜６ｍｍ程度の金属管が好適に採用可能であり、この噴射管７はカバー２の軸線に対して傾斜する状態でカバー２の側面を斜めに貫通して、その先端はカバー２の先端開放面の近傍位置まで延出されており、したがって図示しているようにカバー２の先端を測定対象物１の表面に押し当てると噴射管７の先端は自ずと測定対象部位に臨んでその近傍に位置するようにされている。
カバー２に対する噴射管７の貫通部は気密裡にシールされ、噴射管７の基端には上記の捕集機構３と同様のメンブレンフィルター８ａを内蔵した捕集機構８が装着されている。
これにより、吸気ポンプ５を運転するとその吸引力によってカバー２外の空気が捕集機構８を通して清浄化されたうえで噴射管７に吸引され、その空気流は噴射管７の先端より所定流速で測定対象部位に向かって噴射され、そのような噴射空気流によって測定対象部位の表面の石綿が強制的に吹き飛ばされ、カバー２内において強制的に発塵を生じさせることができるものとされている。
なお、噴射管７からの噴射空気流の噴射流速は適宜設定すれば良いが、たとえば噴射管７の内径が６ｍｍの場合、吸気ポンプによる吸気量を３Ｌ／ｍｉｎ程度として、噴射流速を１．８ｍ／ｓ程度とすることが良く、そのような状態での測定を５分程度行って総吸気量を１５Ｌ程度とすることが良い。
【００２２】
上記構成の測定装置による測定は、測定対象部位にカバー２を装着してその周囲を気密裡に覆い、吸気ポンプ５を運転してカバー２内の空気を吸引することで行う。
これにより、上述のように噴射管７からの噴射空気流が所定風速で測定対象部位に吹き付けられ、表層部の石綿が吹き飛ばされて微量な発塵が生じ、カバー２内に飛散した石綿粉塵はカバー２内の空気とともに捕集機構３に吸引されてその全量がメンブレンフィルター３ａに捕集され、石綿粉塵が捕集された後の清浄な空気のみが吸気管４を通して吸気ポンプ５に吸引されて系外に排気される。
そこで、所定時間の運転の後、運転を停止してカバー２から捕集機構３を取り外し、捕集機構３からメンブレンフィルター３ａを取り出し、それを分析して捕集量（すなわち強制的に発塵させた石綿粉塵量）を測定する。また、運転時間中の吸気量を流量計６により測定する。
【００２３】
以上により、噴射空気流によって測定対象部位から強制的に発塵させた石綿発塵量を、吸気量（＝噴射空気量）と関連づけて直接的にしかも定量的に求めることができる。したがって各部位で同様の測定を同一条件で行うことにより、各部位からの石綿発塵量を定量的に比較することが可能であり、そのことから各部位からの発塵量の多寡を定量的に把握でき、各部位の劣化の有無や程度も推定することができ、その測定結果を石綿含有物に対する解体や補修に際して有効に活用することが可能である。
【００２４】
勿論、石綿を強制的に発塵させるとはいえ、測定対象部位をカバー２により気密裡に覆ったうえでその内部のみで発塵させるものであるし、強制発塵させた石綿の全量は捕集機構３（メンブレンフィルター３ａ）により完全捕集可能であり、さらに噴射管７にも同様の捕集機構８を設けているので、噴射管７に吸い込まれる外気は自ずと清浄化されるばかりでなく、測定に際して強制的に発塵させた石綿粉塵が不用意に噴射管７を通って周囲に飛散してしまう恐れもなく、高精度であるばかりでなく安全な測定を行うことが可能である。
しかも、装置全体の構成は極めて簡単であって安価な汎用製品の組み合わせにより安価に製作できるし、小型軽量のハンディタイプであるので測定作業も何ら面倒で複雑な手順を要するものではないし、作業員１人でも簡易に実施できるものであり、以上のことから石綿含有物の劣化度を診断するためのツールとして極めて有効である。
【００２５】
なお、上記実施形態のように構造部材に耐火被覆として吹き付けられている石綿を対象とするような場合には、上記で例示したように内径６ｍｍの噴射管７を用いて１．８ｍ／ｓ程度の噴射流速で吹き付けることが好適であると考えられるが、噴射管７の口径やそこからの噴射流速の設定は、測定対象物１の材質や用途、測定目的、その他の諸条件を考慮して任意に設定すれば良く、特に噴射流速についてはたとえば０．５ｍ／ｓ程度の微風速から１５ｍ／ｓ程度の強風速までの範囲で自由に設定すれば良い。
いずれにしても、噴射管７の口径と噴射流速を決定すれば理論的には単位時間当たりの噴射空気量（＝カバー２内からの吸気量）は自ずと決定され、あとは測定時間を決定すれば自ずと測定中の総吸気量が決定されるから、測定時間のみをパラメーターとして測定を行うこともでき、測定時間を一定に維持すれば自ずと同一条件での測定を繰り返すことができる。
【００２６】
以上で第１実施形態を説明したが、次に図２を参照して第２実施形態を説明する。本第２実施形態の測定装置は、上記第１実施形態の測定装置に対して飛散防止板１０を付加したものである。
すなわち、上記第１実施形態の測定装置においては、カバー２の先端を測定対象物１に押し当てる際にそこから微量の石綿が剥離して落下することも想定されることから、本第２実施形態の測定装置ではそのような微量の石綿をも捕集するための飛散防止板１０を備えており、それにより万一剥離した石綿が周囲に不用意に飛散してしまうことを確実に防止するようにしたものである。
【００２７】
飛散防止板１０はたとえば透明アクリル板等からなる薄板円板状のものであり、図２（ｂ）に示すように中心部にはカバー２および捕集機構３に対して装着可能な装着孔１１が形成されていて、それらカバー２と捕集機構３との間に挟み込まれた状態で装着されるようになっている。したがって、カバー２の先端部を測定対象物１に押し当てた状態では飛散防止板１０が自ずとその周囲の直下の位置に配置され、カバー２が押し当てられることでそこから石綿が万一剥離したとしても自ずと飛散防止板１０上に落下して受け止められるようになっている。
なお、石綿を確実に受け止めるためには飛散防止板１０の径は可及的に大きい方が好ましいが、あまり大きいと重くなるし取り扱いに不便であるので10〜50cm程度とすることが現実的であり、通常はそれで充分である。勿論、飛散防止板１０は円形に限らず正方形や多角形その他の形状としても差し支えない。
【００２８】
そして、飛散防止板１０の中心からやや側方にずれた位置には空気吸引口１２が形成されていて、その空気吸引口１２には、吸引空気中の石綿を捕集するための捕集機構としてのＨＥＰＡフィルター１３を内蔵している吸引機構１４が空気ホース１５を介して接続され、その吸引機構１４によって飛散防止板１０と測定対象物１との間から空気が吸引されるようになっている。
したがって、吸引機構１４を運転しながらカバー２を測定対象物１に押し当てれば、測定対象部位から万一剥離した石綿は飛散防止板１０上に向かって落下していきながら、あるいは飛散防止板１０上に落下した後に、吸引機構１４により吸引される空気とともに空気吸引口１２に吸い込まれてＨＥＰＡフィルター１３に捕集されてしまい、したがって周囲に飛散してしまうことを確実に防止できるものとなっている。
【００２９】
なお、上記の吸引機構１４を設けることに代えて、あるいはそれに加えて、飛散防止板１０の表面を粘着面とすることも好ましく、そのようにすれば飛散防止板１０上に落下した石綿は直ちにそこに粘着してしまってそこからの再飛散を確実に防止することができる。
【００３０】
また、図２に鎖線で示しているように飛散防止板１０の外周縁部に側壁１６を立ち上げることも好ましく、そのようにすれば測定対象物１と飛散防止板１０との間の空隙が半閉鎖空間となってそこからの吸引効果、すなわち剥離した石綿の飛散防止効果をより向上させることができるし、測定対象物１が水平に対して傾斜している場合や鉛直な壁面に対して測定を行う場合にも有効である。
ただし、そのような側壁１６を設ける場合においては、側壁１６の上縁が測定対象物１に接触してしまうとそこで石綿の剥離が生じる懸念があるので、側壁１６の高さは測定対象物１に接触し得ない程度に留めるべきである。
【００３１】
さらに、飛散防止板１０の素材としては石綿を受け止めることができるものである限りにおいてたとえば金属板や樹脂成形板等の各種の板材を任意に採用可能であるが、不透明であるよりは透明である方が測定作業の際にカバー２の先端部を下方から目視できるので好ましく、その点では上述のように透明アクリル板が好適に採用可能である。
また、図示しているように、飛散防止板１０には噴射管７を斜めに通すための挿通孔１７を形成しておくと良いが、あるいはそのような挿通孔１７に代えて飛散防止板１０の径方向に切り込んだスリット１８を形成してそこに噴射管７を通すことでも良く、その場合には噴射管７を通した後にテープを貼り付ける等してスリット１８を塞ぐと良い。
【００３２】
以上、本発明の第１〜第２実施形態について詳述したが、本発明は上記各実施形態に限定されるものでは勿論なく、本発明の要旨を逸脱しない範囲であれば、カバー２や捕集機構３，８、吸気ポンプ５、吸気管４や噴射管７等の各構成部品の仕様や形状、寸法についてはさらに様々な設計的変更が可能である。
たとえば、上記各実施形態では吸気量を測定するための流量計６を具備したが、吸気量を一定に固定した条件で測定を行うような場合には必ずしも吸気量を測定する必要はないので、流量計６は省略することも可能である。
また、上記各実施形態では噴射管７の基端に捕集機構８を設けたが、強制発塵させた石綿粉塵が噴射管７を通してカバー２の外部に飛散する恐れが無く、またカバー２の周囲に飛散している石綿粉塵その他の浮遊物が噴射管７を通してカバー２内に吸い込まれるような状況下でない場合には、捕集機構８も必ずしも必要ではなく省略することも可能である。
特に、第２実施形態において説明した飛散防止板１０については、測定対象物１にカバー２を押し当てる際に石綿が剥離したり飛散するような懸念がなければ必ずしも設けることはないし、それを設ける場合においても飛散防止板１０やそれに関連する構成要素（吸引機構１４等）の具体的な構成は適宜変更可能である。たとえば、上記第２実施形態では飛散防止板１０をカバー２と捕集機構３との間に挟み込むものとしたが、飛散防止板１０をカバー２あるいは捕集機構３に対して取り付けたり、予めカバー２あるいは捕集機構３と一体に形成しておくことでも勿論良い。
【００３３】
なお、同一条件での測定を繰り返し行うためには、上述したように噴射空気量や噴射流速を一定に維持するのみならず、噴射管７の先端と測定対象部位との間隔を常に一定に維持する必要があるし、上記実施形態のように噴射空気を測定対象物部位に対して斜め方向から吹き付けるようにしている場合にはその吹付方向も測定のたびに変化しないようにすべきである。そのためにはカバー２に対する噴射管７の装着位置や装着角度が不用意に変動しないように確実強固に固定しておけば良く、それにより吹付距離や吹付方向がそのつど変動することなく常に同一条件での測定を行い得て測定精度や信頼性を損なうことがない。
【００３４】
あるいは、上記実施形態のように噴射空気を測定対象部位に対して斜めに吹き付けるのではなく、噴射管７を測定対象部位に対して垂直となるように配置して測定対象部位に対して常にその法線方向から吹き付けるように構成し、その場合の測定値を標準的な指標とすることも考えられる。
以下、そのような場合の構成例を列挙する。
図３に示すものは、図１に示した第１実施形態の装置におけるカバー２の先端面をその軸線に対して斜めに形成し、カバー２の先端面を測定対象部位に気密裡に装着することにより噴射管７が自ずと測定対象部位に対して垂直をなすように配置されるようにしたものであり、この場合には常に法線方向から空気を吹き付けることが可能であって自ずと同一条件での測定を行い得る。
【００３５】
図４に示すものは、図１に示した第１実施形態における噴射管７の先端部をカバー２の内部において屈曲させることによって噴射管７の先端部を測定対象部位に対して垂直となるようにしたものであり、これによれば法線方向から空気を吹き付けて一定条件での測定を繰り返すことが可能である。
なお、このように噴射管７を屈曲させる場合においては、少なくとも屈曲部を蛇腹管等の可撓管等により形成することも考えられるが、いずれにしても所定角度に屈曲させた後にはその角度や測定対象部位との間隔が不用意に変化しないように確実強固に固定すべきである。
【００３６】
さらに図５〜図６に示すように、図３〜図４に示した実施形態の装置に対して図２に示した第２実施形態の装置における飛散防止板１０を組み合わせることも勿論可能である。
【図面の簡単な説明】
【００３７】
【図１】本発明の第１実施形態である測定装置の概略構成図である。
【図２】本発明の第２実施形態である測定装置の概略構成とその構成要素である飛散防止板を示す図である。
【図３】本発明の他の実施形態である測定装置の概略構成図である。
【図４】本発明の他の実施形態である測定装置の概略構成図である。
【図５】本発明の他の実施形態である測定装置の概略構成図である。
【図６】本発明の他の実施形態である測定装置の概略構成図である。
【符号の説明】
【００３８】
１  測定対象物
２  カバー
３  捕集機構
３ａ  メンブレンフィルター
４  吸気管
５  吸気ポンプ
６  流量計
７  噴射管
８  捕集機構
８ａ  メンブレンフィルター
１０  飛散防止板
１１  装着孔
１２  空気吸引口
１３  ＨＥＰＡフィルター（捕集機構）
１４  吸引機構
１５  空気ホース
１６  側壁
１７  挿通孔
１８  スリット
【図１】
0005051589.tif 000002
【図２】
0005051589.tif 000003
【図３】
0005051589.tif 000004
【図４】
0005051589.tif 000005
【図５】
0005051589.tif 000006
【図６】
0005051589.tif 000007